(57)【特許請求の範囲】
【請求項１】
両端部の回転軸と中央部に設けられて前記回転軸よりも大径の回転体と前記回転体から直角方向に突出する作動軸と前記回転軸の一方に半径方向に突出する係止突起を有する回転部材と、
前記回転部材の回転軸をそれぞれ回動可能に支持する軸受部を有するプレート部材と、
前記回転部材を覆って前記プレート部材に摺動可能に設けられたロックプレートとを備え、
前記ロックプレートは、前記ロックプレートの裏面に前記回転部材の回転体の一部を収容する案内凹部と、前記案内凹部の一端部に前記回転部材の係止突起に係合可能な係合突起とを有し、前記回転部材の回転体の一部は前記案内凹部内を前記回転体の軸方向に摺動可能である回転部材支持装置。
【請求項２】
前記プレート部材の軸受部が、前記回転部材の回転軸を収容する凹部状に形成されていることを特徴とする請求項１記載の回転部材支持装置。
【請求項３】
前記回転部材の他方の回転軸側に取り付けられた捩りコイルばねを備え、前記捩りコイルばねの一端部を前記プレート部材に係止させ、他端部を前記回転部材に係止させたことを特徴とする請求項１または２記載の回転部材支持装置。
【請求項４】
前記プレート部材が、板金をプレス加工により形成されていることを特徴とする請求項１から３のいずれかに記載の回転部材支持装置。
【請求項５】
前記回転部材の係止突起を前記ロックプレートの係合突起と前記プレート部材の前記案内凹部の一方の縁面との間に挟んで前記回転部材の作動軸を前記ロックプレートに垂直な方向に向いた第１の位置に位置決めし、前記ロックプレートを移動させて前記回転部材の係止突起を前記ロックプレートの係合突起から外した状態で前記回転部材の作動軸を押圧して倒伏させた後、前記ロックプレートを元の位置に移動させて、前記回転部材の係止突起を前記ロックプレートの係合突起と前記プレート部材の前記案内凹部の他方の縁面との間に挟んで前記回転部材の作動軸を前記ロックプレートと平行な第２の位置に位置決めする請求項１から４のいずれかに記載の回転部材支持装置。
【請求項６】
大径ディスクと小径ディスクを選択的にターンテーブル上に固定して再生を行うディスク再生装置において、
両端部の回転軸と中央部に設けられて前記回転軸よりも大径の回転体と前記回転体から直角方向に突出する作動軸と前記回転軸の一方に半径方向に突出する係止突起を有するロックピンと、
前記ロックピンの回転軸をそれぞれ回動可能に支持する軸受部を有し、前記大径ディスクまたは小径ディスクを前記ターンテーブル上に押し付けるディスククランパを有するクランプアームと、
前記ロックピンの他方の回転軸側に取り付けられて前記ロックピンを直立させるように回動付勢する捩りコイルばねと、
前記ロックピンを覆って前記クランプアームに摺動可能に設けられたロックプレートと、
装置内に挿入された大径ディスクの外周が当接することにより揺動して前記ロックプレートを横方向に移動させるディスク検知レバーとを備え、
前記ロックプレートは前記ロックプレートの裏面に前記ロックピンの回転体の一部を収容する案内凹部と前記案内凹部の一端部に前記ロックピンの係止突起に係合可能な係合突起とを有し、前記ロックピンの回転体の一部は前記案内凹部内を前記ロックピンの回転体の軸方向に摺動可能であるロックピン支持機構を有するディスク再生装置。
【発明の詳細な説明】
【０００１】
【発明の属する技術分野】
本発明は、回転部材支持装置およびこの回転部材支持装置を用いたディスク再生装置に関する。
【０００２】
【従来の技術】
従来、例えば直径１２ｃｍのディスクと直径８ｃｍのディスクの両方を再生可能なディスク再生装置の場合、大径の１２ｃｍディスクを中心に設計され、小径の８ｃｍディスクを使用する場合は、専用のアダプタに８ｃｍディスクをセットし、そのアダプタを装置内に挿入して再生を行っていた。このようなアダプタを使用する方法は、アダプタを保管する必要があり、アダプタがなくては８ｃｍディスクを再生できないばかりか、アダプタに８ｃｍディスクを装着するのに手間がかかるという問題があった。そこで、この問題を解決するために、小径ディスクのためのアダプタを必要とすることなく、大径と小径のディスクの両方を再生可能なディスク再生装置が提案された。このディスク再生装置は、装置内に挿入された小径ディスクを再生位置に位置決めする回転部材であるロックピンを備えており、このロックピンは、装置内に大径ディスクが挿入されてきた場合には大径ディスクの進路の邪魔になるので、大径ディスクが挿入された場合にはロックを解除されて、大径ディスクの外周縁に押されて倒伏するようになっている。このロックピンのロックと解除の使い分けにより、大径ディスクも小径ディスクと同じ再生位置に位置決めするための機構がディスク検出機構である。
【０００３】
大径ディスクと小径ディスクの両方を再生可能な車載用のディスク再生装置の場合は、再生時に車両からの振動を吸収するために、ディスク再生機構がオイルダンパとばねにより支持されたサスペンションシャーシに組み込まれている。実際のディスク再生装置は、アッパシャーシとロアシャーシとサスペンションシャーシとからなるシャーシ機構と、ディスクを装置内の挿入／排出位置と再生位置の間で搬送するディスク搬送機構と、挿入されたディスクが大径ディスクの場合は、挿入された小径ディスクを位置決めするためのロックピンのロックを解除して大径ディスクの外周によってロックピンを倒伏させるロック手段を有するディスク検出機構と、このディスク検出機構に連動してサスペンションシャーシのロアシャーシに対するロックまたはロック解除を行うサスペンションロック機構と、上記サスペンションシャーシに設けられて、再生位置に搬送されたディスクをターンテーブル上にクランプするディスククランパ機構およびクランプされたデイスクを再生するディスク再生機構とを備えている。この構成により、大径ディスクでも小径ディスクでも、単に装置内にディスクを挿入するだけで再生が可能になる。
【０００４】
【発明が解決しようとする課題】
しかしながら、上記ディスク再生装置においては、車載用ディスク再生装置のように、取り付けスペースが限定されているようなディスク再生装置の場合には、装置の一層の薄型化が要求され、しかも薄型化によって組付作業が難しくなるのを防がなければならない。本発明は、このような従来の課題を解決するためになされたもので、薄型化が可能で組付作業が簡単な回転部材支持装置およびこの回転部材支持装置を用いたディスク再生装置を提供することを目的とする。
【０００５】
【課題を解決するための手段】
上記課題を解決するために、本発明の回転部材支持装置は、両端部の回転軸と中央部に設けられて前記回転軸よりも大径の回転体と前記回転体から直角方向に突出する作動軸と前記回転軸の一方に半径方向に突出する係止突起を有する回転部材と、前記回転部材の回転軸をそれぞれ回動可能に支持する軸受部を有するプレート部材と、前記回転部材を覆って前記プレート部材に摺動可能に設けられ、裏面に前記回転部材の回転体の一部を軸方向に摺動可能に収容する案内凹部と前記案内凹部の一端部に前記回転部材の係止突起に係合可能な係合突起とを有するロックプレートとを備えたものである。この構成により、回転部材全体を常にロックプレートの下側に収容することが可能なため、案内部材の突出量を減らすことができ、全体として薄型化が可能となるとともに、回転部材の取り付けを容易に行うことができる。
【０００６】
また、本発明の回転部材支持装置は、前記プレート部材の軸受部が、前記回転部材の回転軸を収容する凹部状に形成されていることを特徴とするものである。この構成により、回転部材を単に凹部内に挿入し、上からロックプレートを被せるだけで、回転部材を回動可能に支持することができるので、組付作業が簡単になる。
【０００７】
また、本発明の回転部材支持装置は、前記回転部材の他方の回転軸側に取り付けられた捩りコイルばねを備え、前記捩りコイルばねの一端部を前記プレート部材に係止させ、他端部を前記回転部材に係止させたことを特徴とするものである。この構成により、回転部材を定位置に復帰させることができる。
【０００８】
また、本発明の回転部材支持装置は、前記プレート部材が、板金をプレス加工により形成されていることを特徴とするものである。この構成により、回転部材の軸受部を容易に作ることができる。
【０００９】
また、本発明の回転部材支持装置は、前記回転部材の係止突起を前記ロックプレートの係合突起と前記プレート部材の前記案内凹部の一方の縁面との間に挟んで前記回転部材の作動軸を前記ロックプレートに垂直な方向に向いた第１の位置に位置決めし、前記ロックプレートを移動させて前記回転部材の係止突起を前記ロックプレートの係合突起から外した状態で前記回転部材の作動軸を大径ディスクにより押圧して倒伏させた後、前記ロックプレートを元の位置に移動させて、前記回転部材の係止突起を前記ロックプレートの係合突起と前記プレート部材の前記案内凹部の他方の縁面との間に挟んで前記回転部材の作動軸を前記ロックプレートと平行な第２の位置に位置決めするものである。この方法により、回転部材を角度の異なる第１の位置と第２の位置に容易に位置決めすることができる。
【００１０】
また、本発明のディスク再生装置は、大径ディスクと小径ディスクを選択的にターンテーブル上に固定して再生を行うディスク再生装置において、両端部の回転軸と中央部に設けられて前記回転軸よりも大径の回転体と前記回転体から直角方向に突出する作動軸と前記回転軸の一方に半径方向に突出する係止突起を有するロックピンと、前記ロックピンの回転軸をそれぞれ回動可能に支持する軸受部を有し、前記大径ディスクまたは小径ディスクを前記ターンテーブル上に押し付けるディスククランパを有するクランプアームと、前記ロックピンを覆って前記クランプアームに摺動可能に設けられ、裏面に前記ロックピンの回転体の一部を軸方向に摺動可能に収容する案内凹部と前記案内凹部の一端部に前記ロックピンの係止突起に係合可能な係合突起とを有するロックプレートと、前記ロックピンの他方の回転軸側に取り付けられて前記ロックピンを直立させるように回動付勢する捩りコイルばねと、装置内に挿入された大径ディスクの外周が当接することにより揺動して前記ロックプレートを横方向に移動させるディスク検知レバーとを備えたロックピン支持機構を有するものである。この構成により、薄型で組付作業の簡単なディスク再生装置を実現することができる。
【００１１】
【発明の実施の形態】
以下、本発明の実施の形態について図面を参照して説明する。図１は本発明の実施の形態のディスク再生装置におけるディスク検出機構の概略平面構成を示している。この図が描かれた紙面の下側が装置の前方または手前、上側を後方または奥、両側をそれぞれ左右の方向として説明する。このディスク再生装置は、直径１２ｃｍの大径ディスクと直径８ｃｍの小径ディスクの両方を再生可能であり、図示されない板金製のロアシャーシの上にサスペンションロック機構および防振機構を介して取り付けられた樹脂製のサスペンションシャーシ１と、サスペンションシャーシ１の後端部両側に設けられた回転軸２、３に、軸受部４、５の軸受穴が回動可能の挿入された板金製のプレート部材であるクランプアーム６と、クランプアーム６の上からロアシャーシの４隅に固定される板金製のアッパシャーシ７（一部のみを図示）とを備えている。サスペンションシャーシ１の後部左側面には、成形樹脂材料の物性による弾性を有する押え片１ａが形成され、その先端部１ｂは上向きの斜面に形成されており、クランプアーム６の軸受部４、５をサスペンションシャーシ１の回転軸２、３に挿入すると、左側の軸受部５が押え片１ａの先端斜面１ｂを押し下げ、先端斜面１ｂを乗り越えた時点で、今度は先端斜面１ｂの側面により軸受部５を位置規制するようになっている。この構成により、従来回転軸２、３の抜け止めに必要であったＥリングが不要になるばかりでなく、組み付けを極めて簡単に行うことができる。サスペンションシャーシ１には、ターンテーブルを一体化されたディスク駆動モータおよび光ピックアップ装置が取り付けられている。クランプアーム６の前端部中央には、ディスクをターンテーブルに押し付けるためのディスククランパ８が取付板９を介して取り付けられている。アッパシャーシ７の裏面右側には、ディスク検知レバー１０が上向きの軸１１を中心に回動可能に設けられている。樹脂製のディスク検知レバー１０の軸１１の両側には突片１０ａ、１０ｂが設けられて、アッパシャーシ７のガイド片７ａ、７ｂに摺動可能に挟まれて落下が防止されるようになっている。ディスク検知レバー１０は、引っ張りコイルばね１２により時計回り方向に回動付勢されている。
【００１２】
ディスク検知レバー１０の前端部には、挿入された大径ディスクが接触可能な前端ピン１３が下向きに形成され、その後端部には、ロックプレート１６の右端部に接触可能な後端ピン１４が下向きに形成されている。クランプアーム６には、後端ピン１４の回動軌跡に沿って逃げ穴１５が形成されている。樹脂製のロックプレート１６は、その両側に形成されたガイド溝１７、１８、１９、２０がクランプアーム６に形成されたガイド片２１、２２、２３、２４に挟み込まれることにより、クランプアーム６にガイド溝１７〜２０の分だけ左右方向に摺動可能に設けられている。ロックプレート１６は、引張コイルばね２５により右方向に押圧付勢されており、常態において、ガイド溝１７〜２０の左側端部がガイド片２１〜２４に当たることにより位置規制されている。ロックプレート１６の左端部には後方に向けて突出したフック片２６が形成されている。フック片２６の根元には軸係止溝２６ａが形成されており、フック片２６の頂部は平坦部２６ｂになっている。軸係止溝２６ａには、常態において差動レバー２７の上向きに形成された回転軸２８が係止されている。樹脂製の差動レバー２７は、回転軸２８がクランプアーム６に形成された円弧状の逃げ穴２９から突出するようにクランプアーム６の裏面に取り付けられている。差動レバー２７は、クランプアーム６に中心部が取り付けられた捩りコイルばね３０の一端部３０ａにより、下側からクランプアーム６に押圧付勢されるとともに、全体が装置前方に押圧付勢される。捩りコイルばね３０の他端部３０ｂは、クランプアーム６に固定されている。差動レバー２７の右端部には作動ピン３１が下向きに形成され、差動レバー２７の左端部には長溝３２が形成されている。長溝３２の上のクランプアーム６の部分にも円弧状の逃げ穴３３が形成されている。長溝３２には、駆動レバー３４の二股に分かれた一方の先端部に上向きに形成された係止ピン３５が係合しており、係止ピン３５は逃げ穴３３から突出している。樹脂製の駆動レバー３４は、サスペンションシャーシ１の表面に、下向きの回転軸３６により回動可能に取り付けられ、図示されない引張コイルばねにより反時計回り方向に回動付勢されている。駆動レバー３４の二股に分かれた他方の先端部には、作動ピン３７が下向きに形成されて、サスペンションロック機構のラック板３８の後端部に当接している。サスペンションロック機構は、図示されないロアシャーシに取り付けられている。
【００１３】
次に、ロックプレート１６とクランプアーム６との間に２箇所設けられた同一構造のロックピン支持機構４０について説明する。図３はロックピン支持機構４０の分解斜視図である。ロックプレート１６の裏面には、ロックピン（回転部材）４３の一部を軸方向に摺動可能に収容する蒲鉾型の案内凹部４１と、この案内凹部４１の一端部にロックピン４３の係止突起４８に係合可能な係合突起４２とが形成されている。樹脂製のロックピン４３は、両端部に設けられた同径の回転軸４４、４５と、中央部に設けられて回転軸４４、４５よりも大径の回転体４６と、回転体４６から直角方向に突出する作動軸４７と、一方の回転軸４４に半径方向に突出する係止突起４８と、他方の回転軸４５と回転体４６との間に設けられて、回転軸４５よりも大径で回転体４６よりも小径のばね取付軸４９とを有する。係止突起４８は扇型に形成され、外周面は回転体４６の外周面と同一であり、垂直側面４８ａと水平側面４８ｂとが直交し、垂直側面４８ａと同一面方向に作動軸４７が突出している。作動軸４７は、係止突起４８側の面が平面４７ａに形成されている。また、回転体４６の係止突起４８とは反対側の面も平面４６ａに形成されている。これら平面４７ａ、４６ａはロックピン４３が倒伏した時の逃げ面である。さらに、回転体４６の作動軸４７寄りには、捩りコイルばね５５の一端部５５ａを固定するための軸方向に貫通するばね取付穴５０が形成されている。クランプアーム６には、ロックピン４３の倒伏動作を許容する矩形の逃げ穴５１が形成され、その両側には、ロックピン４３の回転軸４４、４５を回動可能の収容する凹部状の軸受部５２、５３が形成されている。この軸受部５２、５３は、クランプアーム６をプレス成形する際に逃げ穴５１とともに形成され、成形技術の点から奥側の面５２ａ、５３ａが開放されている。逃げ穴５１の角の１つには捩りコイルばね５５の他端部５５ｂを固定するための取付穴５４が形成されている。なお、この軸受部５２、５３の形状は、断面コ字状でも断面円弧状でもよい。
【００１４】
ここで、ロックピン支持機構４０の組付順序について説明する。まず、捩りコイルばね５５をロックピン４３のばね取付軸４９に挿入し、一端部５５ａをばね取付穴５０に差し込む。ロックピン４３を、その両回転軸４４、４５をクランプアーム６の軸受部５２、５３に落とし込んで、逃げ穴５１に中に挿入し、捩りコイルばね５５の他端部をばね取付穴５４に差し込む。その上からロックプレート１６を被せる。ロックプレート１６の取り付けは、図１において、クランプアーム６に形成されたガイド片２１、２２、２３、２４に、ロックプレート１６の両側に形成された切欠部１７ａ、１８ａ、１９ａ、２０ａを合わせて、ロックプレート１６を右方向に移動させることにより、ガイド片２１、２２、２３、２４をガイド溝１７、１８、１９、２０に係合させることにより行われる。この状態で、図３に示すロックプレート１６の案内凹部４１にロックピン４３の回転体４６の一部が収容され、ロックプレート１６の係合突起４２がロックピン４３の係止突起４８の垂直側面４８ａと係合するとともに、係止突起４８の水平側面４８ｂが軸受部５２の上縁５２ｂに乗るので、ロックピン４３の回動が固定される。このように、ロックピン支持機構４０の組み付けは非常に簡単に行うことができる。
【００１５】
次に、本実施の形態におけるディスク検出動作について説明する。まず直径１２ｃｍの大径ディスクを挿入する場合について説明する。図１において、ロックプレート１６は、常態において引張コイルばね２５に引っ張られてその位置を保持している。この状態では、図４に示すように、ロックピン４３の係止突起４８がロックプレート１６の係合突起４２とクランプアーム６の軸受部５２の左上縁５２ｂとの間に挟まれて回動不能になっているので、ロックピン４３は作動軸４７が下方に向いた第１の位置に位置決めされている。この状態から、図２に示すように、装置内に１２ｃｍの大径ディスクＤ１を挿入すると、その挿入を検知したフォトディテクタからの信号によりディスクフィード機構が作動し、フィードモータが回転してフィードローラが大径ディスクＤ１を装置内部へ向けて搬送する。大径ディスクＤ１が装置内に搬送されると、ディスク検知レバー１０は、その前端ピン１３が大径ディスクＤ１の外周に押されて、軸１１を中心に反時計回り方向に回動し、その後端ピン１４がロックプレート１６を左方向Ｂに移動させる。
【００１６】
これにより、図５（ａ）に示すように、ロックプレート１６の係合突起４２とロックピン４３の係止突起４８との係合が外れるので、ロックピン４３は時計回り方向の回動が自由になる。したがって、大径ディスクＤ１がロックピン４３の作動軸４７をディスク挿入方向Ａに押すと、ロックピン４３は時計回り方向に回動して作動軸４７は倒伏し、大径ディスクＤ１の進入を許容する。そして、図２において、大径ディスクＤ１の最大径の部分がディスク検知レバー１０の前端ピン１０を通過すると、今度はディスク検知レバー１０が、ばね１２の復帰力により軸１１を中心に時計回り方向に回動するので、ロックプレート１６もばね２５の復帰力により右方向Ｃに移動する。これにより、図５（ｂ）に示すように、ロックプレート１６の係合突起４２とロックピン４３の係止突起４８とが再び係合してロックピン４３がロックされるが、この場合には係止突起４８がロックプレート１６の係合突起４２とクランプアーム６の軸受部５２の右上縁５２ｃとの間に挟まれて回動不能になっているので、ロックピン４３は、作動軸４７が左方向に向いた状態で第２の位置に位置決めされる。
【００１７】
図２に示すように、ディスク検知レバー１０が、その前端ピン１３が大径ディスクＤ１の外周に押されて、軸１１を中心に反時計回り方向に回動し、その後端ピン１４がロックプレート１６を左方向Ｂに移動させると、ロックプレート１６の左端部のフック片２６に形成された軸係止溝２６ａが、差動レバー２７の上向きに形成された回転軸２８から離れる。この状態では、上記した動作によりロックピン４３のロックが解除されているので、装置内に挿入された大径ディスクＤ１によりロックピン４３が押されて倒伏するとともに、大径ディスクＤ１により差動レバー２７の右端部の作動ピン３１が押される。これにより、差動レバー２７は、その回転軸２８がロック片２６の軸係止溝２６ａから自由になっているので、長穴２９内を後方に移動しながら、駆動レバー３４の係止ピン３５を中心に反時計回り方向に回動する。そのように、差動レバー２７の捩りコイルばね３０と差動レバー３４の図示されない引っ張りコイルばねとのばね定数が設定されている。大径ディスクＤ１がさらに奥側に搬送されると、大径ディスクＤ１に押された差動レバー２７の回転軸２８が、長穴２９の終端に移動する。この状態の時は、上記したように大径ディスクＤ１の最大径部分がディスク検知レバー１０の前端ピン１３を通過して、ロックプレート１６が右方向Ｃに戻り終わった時なので、図６（ａ）に示すように、差動レバー２７の回転軸２８は長穴２９の終端部とロックプレート１６のフック片２６の頂部の平坦部２６ｂとの間に挟まれて位置決めされる。この状態からさらに大径ディスクＤ１が奥側に搬送されると、差動レバー２７の作動ピン３１がさらに押され、差動レバー２７は、位置決めされた回転軸２８を中心に反時計回り方向に回動し、この回動により差動レバー２７の他端部の長穴３３に係合する駆動レバー３４の係止ピン３５が前方に押されるので、駆動レバー３４は回転軸３６を中心に反時計回り方向に所定量だけ回動し、もう一方の先端部の作動ピン３７がラック板３８を押す。これにより、ラック板３８が前方に所定量だけ移動し、以降サスペンションロック機構が作動して、サスペンションシャーシ１がオイルダンパとばねにより浮遊状態に支持されるとともに、フィードローラが大径ディスクＤ１から離れ、クランプアーム６が下方に回動し、ディスククランパ８が大径ディスクＤ１をターンテーブルに押し付ける。これにより、大径ディスクＤ１の中心は、ターンテーブルの中心に定置される。このクランプ動作が完了するまで、大径ディスクＤ１の奥側の外周縁は、クランプアーム６の奥側に下向きに形成された位置決め用のストッパ突起６ａ、６ｂ（図１参照）に突き当たり、ディスクの奥側への行き過ぎを防止している。クランプ動作が完了すると、この状態を検知したスイッチ（図示せず）からの信号により、ターンテーブルがディスク駆動モータにより回転駆動されるとともに、光ピックアップが作動して、大径ディスクＤ１に記録された信号を読み取って再生が行われる。
【００１８】
大径ディスクＤ１の再生が終了して、イジェクトボタンが押されると、フィードモータが逆回転して、ラック板３８およびサスペンションロック板が奥側へ移動することにより、フィード板のロックが外れてばねにより元の位置に復帰するので、フィードローラが大径ディスクＤ１に接触して大径ディスクＤ１を装置手前側に搬送し、以後、上記したのと逆の動作が行われ、大径ディスクＤ１が所定位置まで排出される。
【００１９】
次に、８ｃｍの小径ディスクＤ２を装置内に挿入した場合の動作について説明する。図１において、ロックプレート１６の初期位置では、上記したように、ロックピン４３は作動軸４７が下方に向いた第１の位置に位置決めされている。一方、ロックプレート１６の左端部のフック片２６に形成された軸係止溝２６ａには、差動レバー２７の上向きに形成された回転軸２８が係合している。この状態において、挿入された小径ディスクＤ２の外周縁は、左右２箇所に配置されたロックピン４３のいずれか一方に当たり、そのロックピン４３の作動軸４７にガイドされながれ、さらに奥側にディスクが移動した際にもう一方のロックピン４３の作動軸４７に当たることで、小径ディスクＤ２がターンテーブルの再生位置に位置決めされる。また、この間に、小径ディスクＤ２の外周縁が、差動レバー２７の作動ピン３１に当たることで、図６（ｂ）に示すように、差動レバー２７を回転軸２８を中心に反時計回り方向に所定量だけ回動させる。これにより、作動ピン３７によりラック板３８を前方に押し出す。以降の動作は上記した大径ディスクＤ１の場合と同様である。
【００２０】
このように、本実施の形態によれば、ディスク検出機構におけるロックピン４３を、クランプアーム６とロックプレート１６とで挟むように構成したので、ロックピン支持機構を薄型化できるとともに、ロックピン４３の組み付けを容易に行うことができる。また、大径ディスクＤ１と小径ディスクＤ２のディスク検出機構において、差動レバー２７を採用して、大径ディスクＤ１が挿入された場合の回転軸２８の回転中心と小径ディスクＤ２が挿入された場合の回転軸２８の回転中心とをずらして、差動レバー２７がほぼ同じ量（角度）だけ回動することにより駆動レバー３４によるほぼ同じ量だけラック板３８を移動させるようにしたので、大径ディスクＤ１の場合と小径ディスクＤ２の場合とで、サスペンションロック機構に対し安定した同じ動作を与えることができる。
【００２１】
なお、上記実施の形態は、本発明の回転部材支持装置をディスク再生装置に適用した例について説明したものであるが、本発明は他の機器装置に対しても適用可能である。
【００２２】
【発明の効果】
以上説明したように、本発明の回転部材支持装置は、両端部の回転軸と中央部に設けられて回転軸よりも大径の回転体とこの回転体から直角方向に突出する作動軸と回転軸の一方に半径方向に突出する係止突起を有する回転部材と、この回転部材の回転軸をそれぞれ回動可能に支持する軸受部を有するプレート部材と、回転部材を覆ってプレート部材に摺動可能に設けられ、裏面に回転部材の回転体の一部を軸方向に摺動可能に収容する案内凹部とこの案内凹部の一端部に回転部材の係止突起に係合可能な係合突起とを有するロックプレートとを備えたものであり、回転部材の一部をロックプレートの案内凹部に収容するため、案内部材の突出量を減らすことができ、全体として薄型化が可能となるとともに、回転部材の取り付けを容易に行うことができる。
【００２３】
また、本発明のディスク再生装置は、上記した回転部材支持装置を用いることにより、薄型で組付作業の簡単なディスク再生装置を実現することができる。
【図面の簡単な説明】
【図１】本発明の実施の形態におけるディスク再生装置のディスク検出機構の概略平面図
【図２】本発明の実施の形態におけるディスク検出機構の別の動作時の概略平面図
【図３】本発明の実施の形態におけるディスク検出機構のロックピン支持機構の分解斜視図
【図４】（ａ）本発明の実施の形態におけるロックピン支持機構のロックピンの第１の位置に位置決めされた状態を示す概略断面図
（ｂ）図４（ａ）のａ−ａ断面図
【図５】（ａ）本発明の実施の形態におけるロックピン支持機構のロックプレートが移動した状態を示す概略断面図
（ｂ）本発明の実施の形態におけるロックピン支持機構のロックピンの第２の位置に位置決めされた状態を示す概略断面図
【図６】（ａ）本発明の実施の形態におけるディスク検出機構の大径ディスク検出時の動作を示す概略平面図
（ｂ）本発明の実施の形態におけるディスク検出機構の小径ディスク検出時の動作を示す概略平面図
【符号の説明】
１  サスペンションシャーシ
６  クランプアーム（プレート部材）
７  アッパシャーシ
１０  ディスク検知レバー
１６  ロックプレート
２７  差動レバー
３４  駆動レバー
３８  ラック板
４０  ロックピン支持機構（回転部材支持装置）
４１  案内凹部
４２  係合突起
４３  ロックピン（回転部材）
４４、４５  回転軸
４６  回転体
４７  作動軸
４８  係止突起
４９  ばね取付軸
５０  ばね取付穴
５１  逃げ穴
５２、５３  軸受部
５４  ばね取付穴
５５  捩りコイルばね
【図１】
0004027633.tif 000002
【図２】
0004027633.tif 000003
【図３】
0004027633.tif 000004
【図４】
0004027633.tif 000005
【図５】
0004027633.tif 000006
【図６】
0004027633.tif 000007